(57)【特許請求の範囲】
【請求項１】
画像形成装置から記録紙搬送ユニットによって排紙された記録紙を収納する排紙台と、エンドフェンスと、サイドフェンスとを有するトレイを具えた排紙収納装置において、
前記トレイの排紙台上において、記録紙搬送ユニットの出口部分に面した位置に、エンドフェンスと対向し、かつ記録紙の後端面を誘導するバックフェンスを配置し、このバックフェンスは支持部材に枢支された上端部の支軸を中心として揺動可能に垂下されていて、トレイの排紙台上に積載される記録紙の前端面がエンドフェンスに衝突した反動によって記録紙の後端面がバックフェンスに衝突したときは、そのときに起きる衝撃力によって記録紙搬送ユニットに向けてトレイの外方に揺動し、記録紙の衝撃力から解放されたときは、原垂下位置に向けて内方に揺動するようになっていることを特徴とする画像形成装置の排紙収納装置。
【請求項２】
バックフェンスの内側の記録紙の誘導面は、落下する記録紙が押出した空気を逃出する開口部を具えていることを特徴とする請求項１に記載の画像形成装置の排紙収納装置。
【請求項３】
バックフェンスの内側の記録紙の誘導面は、摩擦抵抗を減少するための円滑表面となっていることを特徴とする請求項１又は２に記載の画像形成装置の排紙収納装置。
【請求項４】
バックフェンスの内側の記録紙の誘導面には、摩擦抵抗を減少するための減摩部材が取付けられていることを特徴とする請求項１ないし３のいずれかに記載の画像形成装置の排紙収納装置。
【請求項５】
減摩部材は金属鋼線で構成されていることを特徴とする請求項４に記載の画像形成装置の排紙収納装置。
【請求項６】
減摩部材は薄帯状材で構成されていることを特徴とする請求項４に記載の画像形成装置の排紙収納装置。
【請求項７】
バックフェンスに支軸の回転モーメントを調整する調整機構を設けたことを特徴とする請求項１ないし６のいずれかに記載の画像形成装置の排紙収納装置。
【請求項８】
バックフェンスの支持部材は、記録紙搬送ユニットの出口部分の下方に配置されていることを特徴とする請求項１ないし７のいずれかに記載の画像形成装置の排紙収納装置。
【請求項９】
バックフェンスの支持部材の下端部は、排紙台の後部に取付けられていることを特徴とする請求項８に記載の画像形成装置の排紙収納装置。
【発明の詳細な説明】
【０００１】
【発明の属する技術分野】
この発明は、複写機や印刷機のような画像形成装置の排紙収納装置に関する。
【０００２】
【従来の技術】
従来この種の画像形成装置の排紙収納装置は、図８に示すようなものであって、画像形成装置１の記録紙搬送ユニット２によって排紙された記録紙３を収納する排紙台４、エンドフェンス６及びサイドフェンス７を有するトレイ８を具えている。そして排紙台４は画像形成装置１にその後端が支持軸５によって画像形成装置１の方向に倒伏可能に枢支されており、エンドフェンス６は排紙の搬送方向において、またサイドフェンス７は排紙の搬送方向と直角方向において位置調節可能となっているのに加えて、両フェンス６，７は内方に倒伏可能に枢支されており、排紙台４はエンドフェンス６で記録紙の先端を整列させるため、通常前方にかけて角度θをもって下向傾斜させている。
【０００３】
【発明が解決しようとする課題】
ところでこのようものにあっては、（１）記録紙３の紙質、サイズ、印刷特に孔版印刷における印刷機の種類等によって、画像面がインキによって展延して、記録紙３が図９に示すようにアーチ状の形態となり、その積載時に空気層の抵抗によって、整列性が悪くなり、（２）画像形成装置１の作動速度の向上につれて、エンドフェンス６に記録紙３の先端が衝突して、その反動によって記録紙３が跳ね返って、記録紙３間の空気層によって記録紙３が不整列となり、（３）トレイ８が下向傾斜していることから、先行の記録紙３の画像面に後行の記録紙３の裏面が摺擦して、記録紙３の排出方向が不揃いや、画像の裏移り等の不具合が発生し、（４）これらのことから発生した不揃いの修正や、画像が裏移りした不良記録紙の除去というような厄介な作業が必要となるというような問題がある。
【０００４】
そこでこの発明の目的は、前記のような従来の画像形成装置の排紙収納装置のもつ問題を解消し、記録紙の紙質、サイズ、印刷特に孔版印刷における印刷機の種類等によって、画像面がインキによって展延して、記録紙アーチ状の形態となることがなく、またエンドフェンスで跳ね返った記録紙が、記録紙間の空気層によって記録紙が不整列となることがなく、また画像が裏移りした不良記録紙を発生する恐れがなく、記録紙を整列させた状態で確実に排紙台に積載することができる画像形成装置の排紙収納装置を提供するにある。
【０００５】
【課題を解決するための手段】
この発明は前記のような目的を達成するために、画像形成装置の排紙収納装置において、請求項１に記載の発明は、画像形成装置から記録紙搬送ユニットによって排紙された記録紙を収納する排紙台と、エンドフェンスと、サイドフェンスとを有するトレイを具えた排紙収納装置において、前記トレイの排紙台上において、記録紙搬送ユニットの出口部分に面した位置に、エンドフェンスと対向し、かつ記録紙の後端面を誘導するバックフェンスを配置し、このバックフェンスは支持部材に枢支された上端部の支軸を中心として揺動可能に垂下されていて、トレイの排紙台上に積載される記録紙の前端面がエンドフェンスに衝突した反動によって記録紙の後端面がバックフェンスに衝突したときは、そのときに起きる衝撃力によって記録紙搬送ユニットに向けてトレイの外方に揺動し、記録紙の衝撃力から解放されたときは、原垂下位置に向けて内方に揺動するようになっていることを特徴とするものであり、請求項２に記載の発明は、バックフェンスの内側の記録紙の誘導面は、落下する記録紙が押出した空気を逃出する開口部を具えていることを特徴とするものであり、請求項３に記載の発明は、バックフェンスの内側の記録紙の誘導面は、摩擦抵抗を減少するための円滑表面となっていることを特徴とするものであり、請求項４に記載の発明は、バックフェンスの内側の記録紙の誘導面には、摩擦抵抗を減少するための減摩部材が取付けられていることを特徴とするものであり、請求項５に記載の発明は、減摩部材は金属鋼線で構成されていることを特徴とするものであり、請求項６に記載の発明は、減摩部材は薄帯状材で構成されていることを特徴とするものであり、請求項７に記載の発明は、バックフェンスに支軸の回転モーメントを調整する調整機構を設けたことを特徴とするものであり、請求項８に記載の発明は、バックフェンスの支持部材は、記録紙搬送ユニットの出口部分の下方に配置されていることを特徴とするものであり、請求項９に記載の発明は、バックフェンスの支持部材の下端部は、排紙台の後部に取付けられていることを特徴とするものである。
【０００６】
【発明の実施の形態】
図１，２，３に示すこの発明の第１実施形態において、前記の従来例と同様の部分には同一の符号を付して説明を省略し、主として相違する部分について説明する。トレイ８の排紙台４上において、記録紙搬送ユニット２の出口部分９の下方に、エンドフェンス６と対向し、かつ記録紙３の後端面を誘導するバックフェンス11の第１実施例を配置し、このバックフェンス11の上端部には横方向に突設した支軸13が設けられ、この支軸13は記録紙搬送ユニット２の出口部分９の下方に設けられた支持部材12に枢支されて、これを中心として揺動可能に垂下されていて、バックフェンス11の下端縁は排紙台４の上方に位置している。
【０００７】
図２，３には支持部材12と支軸13との枢支部の構造の詳細が示されており、支持部材12は記録紙搬送ユニット２の出口部分９の下方に位置していて、その上端には円形孔15と、この円形孔15と連通するエンドフェンス６向きの切溝16とからなる支持孔14が設けられ、支軸13は前記円形孔15の直径とほぼ等しい長さの長径ａと、前記切溝16の幅とほぼ等しい長さの短径ｂとを有する小判型の突部17を有している。
【０００８】
前記のようなものにおいて、バックフェンス11を支持部材12に取付けるに際しては、バックフェンス11を横向きにして手でもって、支軸13の突部17を支持孔14の切溝16をとおして挿入し、手を離すとバックフェンス11は自重で図１，３に実線で示す垂下位置となり、このバックフェンス11を支持部材12から、取り外すには前記と反対の操作をすることとなる。
【０００９】
前記のようにしてバックフェンス11を取付けたものに、図４に示すような記録紙３を収納するに際しては、エンドフェンス６とバックフェンス11との間の間隔Ｌ２と、記録紙３の前後端間の寸法Ｌ１との関係が、Ｌ１≦Ｌ２となるように調整して、その位置に保持する。
【００１０】
このようにされたところへ、図１に示すように画像形成装置１から記録紙搬送ユニット２によってその出口部分９に搬送された記録紙３は、矢印Ａの方向に飛ばされて位置３−１に移動する。そしてその前端がエンドフェンス６に衝突して下動すると同時に、衝突の反動によって矢印Ｂの方向に飛ばされて位置３−２に移動して、その後端がバックフェンス11に衝突する。この衝突の際の衝撃力によってバックフェンス11は、いったんその支軸13を中心として、実線で示した垂下位置から矢印Ｃに示すように反時計方向に揺動して鎖線位置に変位し、その後衝撃力が解消するとその自重による回転モーメントによって、記録紙３の後端を押動しながら矢印Ｄに示すように時計方向に揺動して原垂下位置に復帰し、このようにしてバックフェンス11が、記録紙３の後端を押動してその前端をエンドフェンス６に当接させることとなるため、記録紙３はエンドフェンス６とバックフェンス11との間における位置３−４に、不揃いを生ずることなく矢印Ｅに示すように円滑に下動し、一様に排紙台４上の正確な位置に水平に順次積載される。
【００１１】
このようなこの第１実施形態においては、不使用時には従来例と同様にして、エンドフェンス６及びサイドフェンス７を内方に倒伏したうえ、排紙台４を矢印Ｈに示すように支持軸５を中心として時計方向へ回動させて、トレイ８を画像形成装置１内に収容することとなる。この際支持部材12は記録紙搬送ユニット２の出口部分９の下方に設けられているので、トレイ８を幅Ｆの小さなスペースの空間に収容することができて、全体をコンパクトなものとすることができる。
【００１２】
【実施例】
図５，６にはバックフェンス11の第２，３実施例が示されており、これらの第２，３実施例において、第１実施例と同様の部分には、同一の符号を付して説明を省略し、主として異なる部分について説明する。
【００１３】
第２実施例のバックフェンス11は、平板状であって両側縁が下方に向けて内方に傾斜しているフェンス本体20と、このフェンス本体20の両側縁に取付けられた記録紙３を誘導する誘導板部21とを有し、支軸13は両誘導板部21の上部外側に突設され、フェンス本体20には落下する記録紙３が押出した空気が逃出する縦長の開口部22が設けられており、誘導板部21の表面には摩擦抵抗を減少するために、ポリエステル又は板ばねのＳＵＳ材等で構成されている薄帯状の減摩部材23が取付けられている。
【００１４】
このようなバックフェンス11を装着した排紙収納装置によって、前記のようにして排紙の収納を行うと、バックフェンス11の誘導板部21に衝突した記録紙３の後端は誘導板部21の表面の減摩部材23によって、誘導板部21にひっかかることなく円滑に下動し、また落下する記録紙３が押出した空気は、フェンス本体20に設けられた開口部22から外部に排出されて滞留することがなく、記録紙３は空気抵抗によって不揃いを生ずることがなくて円滑に下動し、一様に排紙台４上の正確な位置に水平に順次積載される。
【００１５】
第３実施例のバックフェンス11は、図６に示すようにバックフェンス11の支軸13の下方に取付孔25を設け、この取付孔25に金属鋼線26の両上端から水平方向に突出したフック部27を着脱可能に挿入し、この金属鋼線26はフック部27を取付孔25を挿入した際、誘導板部21に沿って下方に延びる縦向部分29と、誘導板部21に設けられた横向溝28に嵌入する横向部分30とを有している。そして金属鋼線26としては、ばね用ステンレス線又は表面処理をしたピアノ線であって、線径はφ１〜φ３程度のものを使用することによって、低コスト化、加工の容易化、良好な耐摩耗性をえられることとなる。
【００１６】
そしてこの実施例には、バックフェンス11の支軸13の回転モーメントを調整する調整機構が設けられており、開口部22は縦長の方形孔となっていて、その両側に縦方向に複数の凹部32が設けられている。そして開口部22中を上下動可能な調整部材31が設けられ、この調整部材31は開口部22に摺嵌する凸部33と、この凸部33の両側に突設されたばね部材39の先端に設けられた凹部32に係合する係合突起部34と、横向きの透孔35とを有し、この調整部材31とでフェンス本体20を挾持する挾持部材36がフェンス本体20の背面に配置され、挾持部材36には透孔35に挿入される連結ねじ37が螺合されるねじ孔38が設けられている。
【００１７】
このような実施例において、他の実施例と同様にして排紙の収納を行うに際しては、金属鋼線26によって減摩部材23におけると同様に、記録紙３が誘導板部21にひっかかることなく円滑に下動することとなる。そして記録紙３のサイズ、紙質及び画像形成速度等が変更すると、それに対応してバックフェンス11にかかる記録紙３の衝撃力も変化する。このような衝撃力の変化にもかかわらず、記録紙３の良好な収納状態をうるには、それに対応してバックフェンス11の支軸13の回転モーメントを調整する必要がある。そこでこのような場合には、調整部材31をもって開口部22中を上下動させて、この際係合突起部34はばね部材39の弾性によって凹部32から抜け出し、調整部材31を所望のところにおいて対応する凹部32に係合突起部34を係合させる。これによって記録紙３の良好な収納状態をうることができる。
【００１８】
図７に示すこの発明の第２実施形態において、第１実施形態と相違するところは、支持部材12が上部支持部40と下部支持部41とに分割され、上部支持部40の下端と、下部支持部41の上端とが支持軸42に枢支して連結され、下部支持部41の下端に排紙台４の後端が取付けられている点であり、他の構成においては相違するところがない。このようなこの第２実施形態においては、不使用時には上部支持部40をバックフェンス11とともに、矢印Ｇに示すように支持軸42を中心として内方に回動して、前方の鎖線位置に倒伏させたうえ、第１実施形態と同様にしてエンドフェンス６及びサイドフェンス７を内方に倒伏したうえ、排紙台４を矢印Ｈに示すように支持軸５を中心として下部支持部41とともに、時計方向へ回動させてトレイ８を画像形成装置１内に収容して全体をコンパクトなものとすることができる。
【００１９】
【発明の効果】
この発明は、前記のようであって、画像形成装置の排紙収納装置において、請求項１に記載の発明は、排紙台と、エンドフェンスと、サイドフェンスとを有するトレイを具え、該トレイの排紙台上において、記録紙搬送ユニットの出口部分に面した位置に、エンドフェンスと対向し、かつ記録紙の後端面を誘導するバックフェンスを配置し、このバックフェンスは支持部材に枢支された上端部の支軸を中心として揺動可能に垂下されていて、トレイの排紙台上に積載される記録紙の前端面がエンドフェンスに衝突した反動によって記録紙の後端面がバックフェンスに衝突したときは、そのときに起きる衝撃力によって記録紙搬送ユニットに向けてトレイの外方に揺動し、記録紙の衝撃力から解放されたときは、原垂下位置に向けて内方に揺動するようになっているので、記録紙の紙質、サイズ、印刷特に孔版印刷における印刷機の種類等によって、画像面がインキによって展延して、記録紙アーチ状の形態となることがなく、また画像が裏移りした不良記録紙を発生する恐れがなく、記録紙を整列させた状態で確実に排紙台に積載することができるという効果がある。請求項２に記載の発明は、バックフェンスの内側の記録紙の誘導面は、落下する記録紙が押出した空気を逃出する開口部を具えているので、エンドフェンスで跳ね返った記録紙が、記録紙間の空気層によって記録紙が不整列となることがないという効果がある。請求項３に記載の発明は、バックフェンスの内側の記録紙の誘導面は、摩擦抵抗を減少するための円滑表面となっているので、バックフェンスの誘導面に衝突した記録紙の後端は誘導面にひっかかることなく円滑に下動するという効果がある。請求項４に記載の発明は、バックフェンスの内側の記録紙の誘導面には、摩擦抵抗を減少するための減摩部材が取付けられており、請求項５に記載の発明は、減摩部材は金属鋼線で構成されており、請求項６に記載の発明は、減摩部材は薄帯状材で構成されているので、記録紙の後端が衝突することによって誘導面が摩耗しても、減摩部材を交換することによって簡単かつ安価に補修することができるという効果がある。請求項７に記載の発明は、バックフェンスに支軸の回転モーメントを調整する調整機構を設けたので、記録紙のサイズ、紙質及び画像形成速度等が変更してバックフェンスにかかる記録紙の衝撃力が変化する際、それに対応してバックフェンスの支軸の回転モーメントを調整機構によって調整し、これによって記録紙の良好な収納状態をうることができるという効果がある。請求項８に記載の発明は、バックフェンスの支持部材は、記録紙搬送ユニットの出口部分の下方に配置されており、請求項９に記載の発明は、バックフェンスの支持部材の下端部は、排紙台の後部に取付けられているので、トレイを画像形成装置内に収容する際、バックフェンスがその妨害をすることなく、容易に収容することができるとともに、全体のコンパクト性が保持されるという効果がある。
【図面の簡単な説明】
【図１】この発明の第１実施形態の正面図である。
【図２】同上のバックフェンスの支持部の分解斜面図である。
【図３】同上の一部切欠正面図である。
【図４】記録用紙の平面図である。
【図５】この発明のバックフェンスの第２実施例の斜面図である。
【図６】同第３実施例の斜面図である。
【図７】この発明の第２実施形態の正面図である。
【図８】この発明と同種の従来の排紙収納装置の１例の要部の正面図である。
【図９】同上により排紙された記録紙の１形態を示す斜面図である。
【符号の説明】
１  画像形成装置                ２  記録紙搬送ユニット
３  記録紙                      ４  排紙台
６  エンドフェンス              ７  サイドフェンス
８  トレイ                      ９  出口部分
11  バックフェンス              12  支持部材
13  支軸                        14  支持孔
20  フェンス本体                21  誘導板部
22  開口部                      23  減摩部材
25  取付孔                      26  金属鋼線
27  フック部                    31  調整部材
35  透孔                        36  挾持部材
37  連結ねじ                    38  ねじ孔
【図１】
0003686138.tif 000002
【図２】
0003686138.tif 000003
【図３】
0003686138.tif 000004
【図４】
0003686138.tif 000005
【図５】
0003686138.tif 000006
【図６】
0003686138.tif 000007
【図７】
0003686138.tif 000008
【図８】
0003686138.tif 000009
【図９】
0003686138.tif 000010